(57)【要約】【課題】積上げ施工の作業性が良く、据付位置の微調整が行なえるとともに、控え梁の構造的強度が高く、胴込コンクリートの充填性が良いように改良する。【解決手段】正面壁板部と背面壁板部を平行に配置し、互いに逆傾斜の二枚の斜面板部を内端側で会合させる一方、外端側で開口させた形の横倒しＶ字状断面を呈する左右一対の控え梁によって、前記正面壁板部と前記背面壁板部を一体に連結し、前記左右一対の控え梁の間に上下に連通した開放部を形成し、前記背面壁板部の上端肉厚部にピン受孔を前方に張出して形成し、前記背面壁板部の下端部に後方に向けて開口した第１の調整用切欠き溝を設け、前記正面壁板部の下端部の左右各隅部に後方に向けて開口した第２の調整用切欠き溝を設け、前記ピン受孔に下部が挿入されたガイドピンの上部を、前記背面壁板部の接合用上面の延長面より突出させる。【選択図】図８
2011032688.tif 000002
【特許請求の範囲】
【請求項１】
本発明の壁体構築用ブロックは、正面壁板部と背面壁板部を平行に配置し、互いに逆傾斜の二枚の斜面板部を内端側で会合させる一方、外端側で開口させた形の横倒しＶ字状断面を呈する左右一対の控え梁によって、前記正面壁板部と前記背面壁板部を一体に連結し、前記左右一対の控え梁の間に上下に連通した開放部を形成し、前記背面壁板部の上端肉厚部にピン受孔を前方に張出して形成し、前記背面壁板部の下端部に後方に向けて開口した第１の調整用切欠き溝を設け、前記正面壁板部の下端部の左右各隅部に後方に向けて開口した第２の調整用切欠き溝を設け、前記ピン受孔に下部が挿入されたガイドピンの上部を、前記背面壁板部の接合用上面の延長面より突出させた壁体構築用ブロック。
【発明の詳細な説明】
【技術分野】
【０００１】
本発明は、道路工事、河川工事、宅地造成工事の土止め擁壁や護岸の構築に使用される壁体構築用ブロックに関するものである。
【背景技術】
【０００２】
このような壁体構築用ブロックとしては、正面壁板部と背面壁板部を互いに平行に配置し、上下左右の４本の控え梁によって正面壁板部と背面壁板部を一体に連結して、上下に貫通した空洞部を設け、上位側の左右２本の控え梁の後部上面と背面壁板部の上面に跨って第１突起部を幅方向に設け、下位側の左右２本の控え梁の前部下面と正面壁板部の下面に跨って第２突起部を幅方向に設け、上位側の左右２本の控え梁の接合用上面に各２個の第１ピン受孔を設け、下位側の左右２本の控え梁の接合用下面に各２個の第２ピン受孔を設けたものがある（特許文献１参照）。
【０００３】
この壁体構築用ブロックの積上げ施工においては、下段側ブロックの第１突起部に上段側ブロックの正面壁板部の前面下部を当接させる一方、下段側ブロックの背面壁板部の後面上部に上段側ブロックの第２突起部を当接させて、下段側ブロックの上位側の左右２本の控え梁に上段側ブロックの下位側の左右２本の控え梁を載置し、下半部を下位側控え梁の各第１ピン受孔に挿入してある各連結ピンの上半部を、上位側控え梁の各第２ピン受孔に挿入する。
【０００４】
この壁体構築用ブロックでは、上段側ブロックの下位側の左右２本の控え梁の下面部が下段側ブロックの上位側の左右２本の控え梁の上面部に当接し、これら接合面を貫いて合計４本の連結ピンが下段側ブロックの第１ピン受孔と上段側ブロックの第２ピン受孔に挿入されるため、壁体構築用ブロックは介在する連結ピンによって積上げ施工の各ステップにおいて自立安定性を有するものである。
【０００５】
しかしながら、下段側ブロックの第１ピン孔に対する連結ピン下半部の挿入は、上段側ブロックが未だ据付位置に来ていない状態、すなわち、第１ピン受孔の位置を目視確認した状態においてなされるため、ピンの本数の多さによる煩雑さを除外すれば、作業性良く的確に行なえるのであるが、上段側ブロックの第２ピン孔に対する連結ピン上半部の挿入は、上段側ブロックが据付位置に最も接近した据付直前状態、すなわち、連結ピンの位置の目視確認が非常に困難な状態でなされるため、作業性は極めて悪く、的確な挿入作業を能率良く進めることができない。
【０００６】
確かに、壁体構築用ブロックの形状寸法が設計図面通り正確に成形されており、壁体構築用ブロックが施工図面通りに正確に据え付けられるのであれば、第２ピン受孔への連結ピン上半部の挿入は、作業性良く的確に行なえる筈なのであるが、実際の製作現場や施工現場では、製作上や施工上の誤差がかなりの頻度及び大きさで出るのが普通である。
このような実態を考慮すると、単立円形孔として形成した４個の第２ピン受孔に４本の連結ピン上半部を的確に挿入すること、すなわち、各連結ピン上半部と各第２ピン受孔が特定された一点において正しく対面配置させることは、実現はほとんど不可能である。
これは、特許出願の図面上においては実現可能なように見えても、実際上では実現不可能なことである。
【０００７】
また、この壁体構築用ブロックでは、正面壁板部と背面壁板の上下左右の各隅部に一体形成された上下左右４本の控え梁は、単純な角棒状に形成されたものであり、空洞部はブッロクの上下平面と左右側面に広く開放されたものであるから、胴込コンクリートの充填に当ってコンクリートの流動性が良いものであるが、その半面、ブッロクの上下平面と左右側面は角棒状の控え梁を残して広く開放されているため、ブロック全体としての構造的強度に難点があった。
【先行技術文献】
【特許文献】
【０００８】
【特許文献１】特開２００２−２５６５７６号公報
【発明の概要】
【発明が解決しようとする課題】
【０００９】
本発明の課題は、製作上や施工上の誤差があってもブロックの積上げ施工を作業性良く的確に行なえ、据付直後における据付位置の微調整が容易に行なえるとともに、構造的強度の高い控え梁構造を有しながら胴込コンクリートの充填作業性が良い壁体構築用ブロックを提供することである。
【課題を解決するための手段】
【００１０】
本発明の壁体構築用ブロックは、正面壁板部と背面壁板部を平行に配置し、互いに逆傾斜の二枚の斜面板部を内端側で会合させる一方、外端側で開口させた形の横倒しＶ字状断面を呈する左右一対の控え梁によって、前記正面壁板部と前記背面壁板部を一体に連結し、前記左右一対の控え梁の間に上下に連通した開放部を形成し、前記背面壁板部の上端肉厚部にピン受孔を前方に張出して形成し、前記背面壁板部の下端部に後方に向けて開口した第１の調整用切欠き溝を設け、前記正面壁板部の下端部の左右各隅部に後方に向けて開口した第２の調整用切欠き溝を設け、前記ピン受孔に下部が挿入されたガイドピンの上部を、前記背面壁板部の接合用上面の延長面より突出させたものである。
【発明の効果】
【００１１】
この壁体構築用ブロックの据付に当っては、下段側ブロックの背面壁板部の上端肉厚部のピン受孔にガイドピンの下部が挿入され、上段側ブロックの背面壁板部の前面を前記ガイドピンの上部に沿わせながら、上段側ブロックを下段側ブロックの上に降ろす。前記ガイドピンによって前後位置を規制されているため、原則として上段側ブロックは、その背面壁板部の接合用下面が下段側ブロックの背面壁板部の接合用上面に正しく対面し、また、その前面壁板部の接合用下面が下段側ブロックの前面壁板部の接合用上面に正しく対面した状態で据え付けられる。
【００１２】
このように本発明においては、下段ブロック側のガイドピンは背面壁板部の接合用上面に立設されたものではなくて、背面壁板部の前方に張出した上端肉厚部に配置されたものであり、また、ガイドピンの上部は上段側ブロックの背面壁板部の接合用下面の孔部などに差し込まれるものではなくて、上段側ブロックの背面壁板部の前面がそれに沿って降ろされて来るものであるから、下段側ブロックに対する上段側ブロックの据付は、ガイドピンの位置を目視確認しながら作業性良く的確に行なえる。水平積みにおいてブロックの転倒がガイドピンによって制止されて自立安定するため、施工時の安全性に優れている。
【００１３】
壁体構築用ブロックの製作上または施工上の誤差によって、据え付けた上段側ブロックの水平位置と高さに多少の狂いがあっても、背面壁板部の下端部の第１の調整用切欠き溝と前面壁板部の下端隅部の第２の調整用切欠に溝に調整作業用工具を差し入れて、上段側ブロックの水平位置および高さ位置を的確に微調整することができるため、ブロックの据付け作業が容易となり、施工性が大幅に向上する。
【００１４】
上段側ブロックが正しい位置に据え付けられた後、正面壁板部と背面壁板部間の空洞部に胴込コンクリートが充填されるのであるが、胴込コンクリートは、左右の控え梁の外側空間と、左右の控え梁間の内側空間に円滑に流動し、各控え梁を密実に包摂した状態で固化することによって、一体化の高いブロック積み壁体が構築される。
左右に配置された控え梁は、互いに逆傾斜の二枚の斜面板部を内端側で会合させる一方、外端側で開口させた形の横倒しＶ字状断面を呈するものであるから、胴込コンクリート充填時の流動性を害することなく、ブロック全体の構造的強度を高めることができる。
【図面の簡単な説明】
【００１５】
【図１】図１は本発明の一実施例に係る壁体構築用ブロックの正面図である。
【図２】図２は図１の壁体構築用ブロックの背面図である。
【図３】図３は図１の壁体構築用ブロックの平面図である。
【図４】図４は図１の壁体構築用ブロックの右側面図である。
【図５】図５は図１の壁体構築用ブロックの左側面図である。
【図６】図６は図１の壁体構築用ブロックの底面図である。
【図７】図７は図４のＡ−Ａ線断面図である。
【図８】図８は図１の壁体構築用ブロックの積上げ時の斜視図である。
【図９】図９は図１の壁体構築用ブロックで構築されたブロック積み壁体の概略的な垂直断面図である。
【図１０】図１０は図１の壁体構築用ブロックに用いるガイドピンの正面図である。
【実施例】
【００１６】
図示の実施例では、壁体構築用ブロックは鉄筋コンクリート製であり、正面壁板部１と背面壁板部２は鉛直面に対して傾斜している。正面壁板部１の接合用上面３と背面壁板部２の接合用上面４は同一の水平面にあり、正面壁板部１の接合用下面５と背面壁板部２の接合用下面６は同一の水平面にある。ブロック全体の重心から下ろした垂線は、正面壁板部１の接合用下面５と背面壁板部２の接合用下面６を結ぶ水平面に交差する。正面壁板部１の右側端部には薄肉状凹部７が形成され、背面壁板部２の右側端部には薄肉状凹部８が形成され、薄肉状凹部８は薄肉状凹部７よりも少し高い位置にある。必要に応じてこれらの薄肉状凹部７，８は破られ、裏込め部９からの水抜きパイプが通される。
【００１７】
左右一対の控え梁１０は、互いに逆傾斜の二枚の斜面板部１１，１２が内端側で会合する一方、外端側が広く開口している横倒しＶ字状断面のものであり、正面壁板部１と背面壁板部２の各縁面より内側に引き込んだ状態に形成されている。正面壁板部１と背面壁板部２は控え梁１０，１０によって一体に連結されている。正面壁板部１の後面１３と背面壁板部２の前面１４は、控え梁１０，１０に向かって上り勾配の４つの斜面で構成されている。左右一対の控え梁１０，１０の間には上下に連通した開放部１５が形成されている。
【００１８】
背面壁板部２の左右一対の上端肉厚部１６の上面は、背面壁板部２の接合用上面４と同一水平面に形成され、ピン受孔１７の中心はガイドピン１８のほぼ半径相当分だけ前方に張出して形成されている。背面壁板部２の後面１９の下端部には、後方に向けて開口した第１の調整用切欠き溝２０が左右２個設けられている。正面壁板部１の後面１３の下端部の左右各隅部には、後方に向けて開口した第２の調整用切欠き溝２１を左右２個設けてある。各上端肉厚部１６の下端部は、控え梁１０の上位の斜面板部１１に連結されている。
【００１９】
ガイドピン１８の逆円錐台状の下半部２２は、背面壁板部２の上端肉厚部のピン受孔１７に挿入され、円錐台状の上半部２３が背面壁板部２の接合用上面４の延長面より上方に突出しているガイドピン１８の上半部２３は、上段側ブロックの据付時に背面壁板部２の案内性を良くするために、円錐台状に形成されている。ブロック積み壁体の正面壁面を構成する正面壁板部１の前面２４には、必要に応じて装飾用凹凸部２５が形成される。
【００２０】
この壁体構築用ブロックの施工に先行して、法地２６は所要の深さ及び奥行きにわたって掘削され、基礎部に基礎ブロック２８が設置される。基礎ブロック２７上に最下段のブロックが左右方向に並べて設置され、それらの上に次段のブロックが設置される。このようにして積上げられた上下段のブロックの正面壁板部１と背面壁板部２間の空洞部には、胴込コンクリート２８が充填される。
この空洞部には左右一対の控え梁１０，１０が存在しているが、各控え梁１０は、互いに逆傾斜の二枚の斜面板部１１，１２が内端側で会合する一方、外端側が広く開口している横倒しＶ字状断面のものであり、控え梁１０，１０の間には上下に連通した開放部１５が形成されているため、胴込コンクリート２８の流動性は良く、密実に充填される。
背面壁板部２の後面側空間には、土砂等が充填され、裏込め部９として突き固められる。
最上段のブロックの上には、天端ブロック２９が設置される。
【符号の説明】
【００２１】
１  正面壁板部
２  背面壁板部
３  正面壁板部の接合用上面
４  背面壁板部の接合用上面
５  正面壁板部の接合用下面
６  背面壁板部の接合用下面
７  正面壁板部の薄肉状凹部
８  背面壁板部の薄肉状凹部
９  裏込め部
１０  控え梁
１１  控え梁の斜面板部
１２  控え梁の斜面板部
１３  正面壁板部の後面
１４  背面壁板部の前面
１５  控え梁間の開放部
１６  背面壁板部の上端肉厚部
１７  ピン受孔
１８  ガイドピン
１９  背面壁板部の後面
２０  第１の調整用切欠き溝
２１  第２の調整用切欠き溝
２２  ガイドピンの下半部
２３  ガイドピンの上半部
２４  正面壁板部の前面
２５  装飾用凹凸部
２６  法地
２７  基礎ブロック
２８  胴込コンクリート
２９  天端ブロック
【図１】
2011032688.tif 000003
【図２】
2011032688.tif 000004
【図３】
2011032688.tif 000005
【図４】
2011032688.tif 000006
【図５】
2011032688.tif 000007
【図６】
2011032688.tif 000008
【図７】
2011032688.tif 000009
【図８】
2011032688.tif 000010
【図９】
2011032688.tif 000011
【図１０】
2011032688.tif 000012